(57)【要約】【課題】  導入された遊技球の移動・放出に緩急の速度差を設けることにより新たな興趣を喚起することができるとともに、小型・コンパクト化や不正行為の防止を図ることのできる遊技球誘導装置を提供する。【解決手段】  一対の揺動体３０，３０は、それぞれの回動翼片３１，３１が、球通路２２の中途部において内方に向け突出するように、回転体２０に一体的に取り付けられている。回転軸２５に挿通されたねじりコイルばね３４の両端が揺動体３０，３０の作動アーム３２，３２に係止され、各々の回動翼片３１，３１は、回動軸３３，３３周りで常時球通路２２に突出する方向にそれぞれ付勢されている。各回動翼片３１，３１の先端部には、球通路２２に入口側２２Ｉから導入された遊技球に係合して受け止めることができるように、遊技球の外形に沿う球面状の球受凹部３１ａ，３１ａがそれぞれ形成されている。【選択図】  図６
2005296539.tif 000002
【特許請求の範囲】
【請求項１】
遊技球の通過可能な球通路が回転軸線と交差する方向に貫通形成された回転体と、
その回転体に一体的に取り付けられて前記球通路内に突出可能に配置されるとともに、前記回転体の回転軸線周りでの回転に応じて、前記遊技球による前記球通路の入口側から出口側への通り抜けを許容する第一姿勢と、前記遊技球による前記球通路の入口側から出口側への通り抜けを阻止する第二姿勢とに変移可能な通路切替部材と、
を備えることを特徴とする遊技球誘導装置。
【請求項２】
遊技球の通過可能な球通路が回転軸線とほぼ直交する方向に貫通形成された回転体と、
その回転体に一体的に取り付けられ前記球通路の途中で内方に向け突出するように常時付勢されて配置されるとともに、前記回転体の球通路との間に前記球通路に入口側から導入された遊技球を受け止めるための球受部を形成し、前記回転体の回転軸線周りでの回転に応じて、前記球受部が前記遊技球と係合せずにその遊技球による前記球通路の入口側から出口側への通り抜けを許容する第一姿勢と、前記球受部が前記遊技球を前記球通路の出口側から受け止めてその遊技球による前記球通路の入口側から出口側への通り抜けを阻止する第二姿勢とに変移可能な通路切替部材と、
を備えることを特徴とする遊技球誘導装置。
【請求項３】
前記通路切替部材が前記第一姿勢であるとき、前記球通路に入口側から導入された遊技球は、そのままその球通路を通り抜けて出口側から放出される一方、
前記通路切替部材が前記第二姿勢であるとき、前記球通路に入口側から導入された遊技球は、前記通路切替部材によってその球通路の通り抜けを阻止された状態で前記回転体の回転に伴って当該球通路を逆流して入口側から放出される請求項１又は２に記載の遊技球誘導装置。
【発明の詳細な説明】
【技術分野】
【０００１】
本発明は、パチンコ機等の遊技機の遊技盤に配置され、内部に導入した遊技球を誘導案内して放出する遊技球誘導装置に関する。
【背景技術】
【０００２】
遊技機の遊技盤には、遊技球誘導装置として例えば、円盤状の回転体の外周面に形成された切欠等の保持部に遊技球を保持し、回転体の回転によって遊技球を複数の振分位置へ移動し放出するための振分装置が配置される場合がある（特許文献１参照）。
【０００３】
【特許文献１】特許第２９５５８１５号公報
【０００４】
特許文献１に示すように、特定の保持部に永久磁石を備え、振分位置に当たり（セーフ）と外れ（アウト）とを割り当てておけば、回転体の保持部に保持された遊技球が当否いずれの振分位置へ移動・放出されるか、振分け作動に対する興味を増大させることができる。しかし、永久磁石による遊技球の吸着作用を利用して当たり外れを振り分けるので、振分装置に対して磁力を利用した不正行為が行われやすい。また、遊技球は回転体の外周面に沿って１つのルートを移動（迂回）するだけであり、回転体が一定回転数で連続回転するときには遊技球の移動が単調でスピード感に欠けるきらいがある。このように、遊技球の移動が単調であると保持部に保持されたときに遊技球の当たり外れがわかってしまう場合があり、遊技者の興趣がそがれてしまうおそれがある。そこで、移動の単調さを解消するために遊技球の移動途中に停留部等を設ける場合には、スピード感がさらに低下するとともに、振分装置の構造が複雑化するおそれがある。
【発明の開示】
【発明が解決しようとする課題】
【０００５】
本発明の課題は、導入された遊技球の移動・放出に緩急の速度差を設けることにより新たな興趣を喚起することができるとともに、小型・コンパクト化や不正行為の防止を図ることのできる遊技球誘導装置を提供することにある。
【課題を解決するための手段及び発明の効果】
【０００６】
上記課題を解決するために、本発明の遊技球誘導装置は、
遊技球の通過可能な球通路が回転軸線と交差する方向に貫通形成された回転体と、
その回転体に一体的に取り付けられて前記球通路内に突出可能に配置されるとともに、前記回転体の回転軸線周りでの回転に応じて、前記遊技球による前記球通路の入口側から出口側への通り抜けを許容する第一姿勢と、前記遊技球による前記球通路の入口側から出口側への通り抜けを阻止する第二姿勢とに変移可能な通路切替部材と、
を備えることを特徴とする。
【０００７】
また、上記課題を解決するために、本発明の遊技球誘導装置は、
遊技球の通過可能な球通路が回転軸線とほぼ直交する方向に貫通形成された回転体と、
その回転体に一体的に取り付けられ前記球通路の途中で内方に向け突出するように常時付勢されて配置されるとともに、前記回転体の球通路との間に前記球通路に入口側から導入された遊技球を受け止めるための球受部を形成し、前記回転体の回転軸線周りでの回転に応じて、前記球受部が前記遊技球と係合せずにその遊技球による前記球通路の入口側から出口側への通り抜けを許容する第一姿勢と、前記球受部が前記遊技球を前記球通路の出口側から受け止めてその遊技球による前記球通路の入口側から出口側への通り抜けを阻止する第二姿勢とに変移可能な通路切替部材と、
を備えることを特徴とする。
【０００８】
これらの遊技球誘導装置によれば、通路切替部材が第一姿勢であるときには遊技球は球通路を高速で直線的に通り抜け（例えば落下し）、第二姿勢であるときには遊技球は球通路の通り抜けを阻止されて回転体とともに回転移動（例えば迂回、その場回転）することになる。このように、球通路に導入された遊技球の移動・放出には緩急の速度差が設けられるので、遊技者に新たな興趣を喚起して遊技球誘導装置への注目度を高めることができる。そして、このような緩急の速度差は球通路を有する回転体と通路切替部材とによって産み出すことができるので、遊技球誘導装置を簡素かつ小型・コンパクトに構成することができる。しかも、遊技球の移動・放出には永久磁石による遊技球の吸着作用を利用する必要がないため、磁力を利用した不正行為を防止することができる。なお、通路切替部材と回転体の球通路との間に球受部が形成される場合には、球通路形成のために他部材を要せず、遊技球誘導装置をさらに小型化することができる。
【０００９】
ところで、通路切替部材は、回転体の球通路を挟んで一対配置される他、球通路に対して１又は複数配置される。したがって、通路切替部材は、遊技球の通過を許容する第一姿勢では、球通路内に突出してもしなくてもよい。同様に、通路切替部材は、遊技球の通過を阻止する第二姿勢では、球通路を横断してもしなくてもよい。また、球通路の入口（側）、出口（側）はそれぞれ複数の場合がある。
【００１０】
これらの遊技球誘導装置では、
通路切替部材が第一姿勢であるとき、球通路に入口側から導入された遊技球は、そのまま球通路を通り抜けて出口側から放出される一方、
通路切替部材が第二姿勢であるとき、球通路に入口側から導入された遊技球は、通路切替部材によって球通路の通り抜けを阻止された状態で回転体の回転に伴って球通路を逆流して入口側から放出されることが好ましい。
【００１１】
このように、遊技球は、通路切替部材が第一姿勢であるときには出口側から放出され、通路切替部材が第二姿勢であるときには入口側から放出されるので、緩急の速度差を無理なく設定でき、その際特殊な構造を要しない。
【００１２】
以上のような遊技球誘導装置は、具体的態様の一例として、
遊技球の通過可能な球通路が回転軸線とほぼ直交する方向に貫通形成された回転体と、
その回転体に一体的に取り付けられ前記球通路の途中で内方に向け突出するように常時付勢されて配置されるとともに、その球通路に入口側から導入された遊技球に係合して受け止めるための球受凹部が形成され、前記回転体の回転軸線周りでの回転に応じて、前記球受凹部が前記遊技球と係合せずにその遊技球による前記球通路の入口側から出口側への通り抜けを許容する第一姿勢と、前記球受凹部が前記遊技球を前記球通路の出口側から受け止めてその遊技球による前記球通路の入口側から出口側への通り抜けを阻止する第二姿勢とに変移可能な一対の通路切替部材と、
を備える場合がある。
【００１３】
一対の通路切替部材に球受凹部を形成することによって、遊技球は第二姿勢に変移した一対の通路切替部材でしっかり受け止められて通り抜けが阻止されるとともに、球通路での引掛かり・詰まり等が発生しにくくなる。
【００１４】
具体的には、球受凹部は、一対の通路切替部材の先端部に遊技球の外形に沿う球面状にそれぞれ形成され、
通路切替部材が第一姿勢であるとき、球受凹部は通路切替部材の出口側に位置して、球通路に導入された遊技球と係合せずに遊技球を通過させ、
通路切替部材が第二姿勢であるとき、球受凹部はその通路切替部材の入口側に位置して、球通路に導入された遊技球を出口側から受け止めることになる。
【００１５】
また、球通路は、回転軸線に沿って設けられる左右の側壁と回転軸線にほぼ直交する底壁とから形成され、
一対の通路切替部材は、球通路の中途部において左右の側壁からそれぞれ底壁と平行状に内方に向け突出するとよい。
【００１６】
一対の通路切替部材の先端部構造と球通路の壁部構造とによって、球受凹部での遊技球の受け止めが一層確実になる。
【００１７】
そして、これらの遊技球誘導装置では、
通路切替部材が第一姿勢であるとき、通路切替部材を球通路内へ突出する方向に付勢する付勢力よりも遊技球との接触に基づきその通路切替部材をその付勢力に抗して球通路から後退する方向に作用する押し戻し力（押し開き力）が大となることにより、球通路に入口側から導入された遊技球は通路切替部材を押し広げるようにしてそのままその球通路を通り抜けて出口側から放出される一方、
通路切替部材が第二姿勢であるとき、付勢力が押し戻し力（押し開き力）を上回ることにより、球通路に入口側から導入された遊技球は通路切替部材によってその球通路の通り抜けを阻止された状態で回転体の回転に伴って球通路を逆流して入口側から放出されることになる。
【００１８】
このように、通路切替部材に付勢手段（付勢部材）による付勢力と遊技球との接触に基づく押し戻し力（押し開き力）とを作用させ、両者のバランスによって通路切替部材を開・閉して遊技球の通り抜けを許容・阻止できるので、遊技球誘導装置を極めてシンプルに構成できる。
【００１９】
なお、付勢手段（付勢部材）として、ばね鋼製・青銅製等の金属ばね、ゴム製・合成樹脂製等の非金属ばね、空気・オイル等を利用する流体ばね等の弾性部材が通常用いられる。特に、単一のねじりコイルばね（トーションスプリング）の両端で一対の通路切替部材をそれぞれ付勢するようにすると、各通路切替部材に均等な付勢力（弾発力；ばね力）を作用させることができるので、第二姿勢での遊技球の通過阻止にタイミングのずれを生じにくい。
【００２０】
本発明の遊技球誘導装置は、例えばパチンコ機等の弾球遊技機において、
・振分装置…遊技球を複数の出口へ分配する；
・入賞装置…遊技球を出口側の入賞口へ案内する；
・通過装置…遊技球を入口側から出口側へ移送する；
等に用いることができる。その際、第一種パチンコ機（セブン機）のセンター役物、第二種パチンコ機（羽根物）のＶ入賞口、第三種パチンコ機（権利物）の振分入賞口のように、遊技球誘導装置の取付位置は遊技機に応じて適宜設定できる。
【発明を実施するための最良の形態】
【００２１】
（実施例１）
以下、本発明の実施の形態を図面を参照しつつ説明する。図１は本発明に係る遊技球誘導装置の一例としての通過装置を示す全体組立斜視図（前方斜視図）、図２はその正面図、図３はＡ−Ａ断面図である。また、図４は図１とは異なる方向から見た通過装置の要部組立斜視図（後方斜視図）、図５はその分解斜視図である。図１〜図３に示すように、通過装置１は、遊技機の遊技盤（図示せず）等に固定するための台板１０と、電動モータ２４（回転体駆動源）により所定方向（例えば正面視時計方向）に回転する回転体２０と、回転体２０に取り付けられて一体回転する一対の揺動体３０，３０（通路切替部材）と、を備えている。
【００２２】
台板１０の下半部には下部枠１１が固定され、下部枠１１と台板１０とで形成される内部空間に回転体２０及び揺動体３０，３０が収納・支持されている。なお、１１ａは下部枠１１の前方下端部から後方側に向かって低くなるように傾斜する排出樋であり（図３）、回転体２０から放出された遊技球を受け止めて後方に排出する。
【００２３】
回転体２０は電動モータ２４のモータ軸２４ａに連結された回転軸２５に固定され、その前後方向の軸線Ｏ周りに回転する（図３）。回転体２０の本体部２１には、遊技球の通過可能な球通路２２が、回転体２０の回転軸線Ｏと交差（例えば直交）する方向に貫通形成されている。この球通路２２は、回転軸線Ｏに沿って前後方向に設けられる左右の側壁２２ｂ，２２ｂと回転軸線Ｏに交差（例えば直交）する上下方向の底壁２２ａとで囲まれ、上方の入口側２２Ｉ、下方の出口側２２Ｅ及び前方の遊技者側がそれぞれ開放されて形成されている（図２）。なお、２３は止めねじ等の締付部材２３ａにより回転体２０に後方から一体化される裏蓋、２７は回転軸２５と裏蓋２３とを固定するための固定ピン、２６は台板１０と回転軸２５との間に嵌め込まれて回転軸２５の回転を支承するスリーブである（図３、図５）。
【００２４】
モータ軸２４ａと回転軸２５とを連結して、回転体２０と一体回転する同期回転板２８の周縁にノッチ（切れ目）２８ａが形成されている。また、ノッチ２８ａの回転軌跡に対応させて、ノッチセンサ２９（原点検出手段）が配置されている（図１、図３、図５）。なお、２９ａはセンサ基板、２９ｂはその接続コネクタを表わし、センサ基板２９ａは図示しない取付手段によって台板１０等に固定されている。ここで、ノッチセンサ２９は、回転体２０（同期回転板２８）の回転に伴って、電動モータ２４の回転角度位置データ等に誤差が経時的に蓄積され、制御（遊技）の暴走等を防止するために設けられる。すなわち、回転体２０（同期回転板２８）の回転によりノッチ２８ａがノッチセンサ２９を通過するたびに、周方向原点としてのノッチ２８ａが検出され、零点補正が行われる。ノッチセンサ２９には、光電式センサ、赤外線センサ、超音波センサ、レーザセンサ等の非接触式センサを用いることができる。また、ノッチ２８ａは周方向に複数個設けてもよい。
【００２５】
一対の揺動体３０，３０は、それぞれの回動翼片３１，３１が、球通路２２の中途部において左右の側壁２２ｂ，２２ｂから底壁２２ａと平行状に内方に向け突出するように、回転体２０に一体的に取り付けられている（図２、図５）。このとき、回転軸２５に挿通されたねじりコイルばね３４（トーションスプリング；付勢手段；付勢部材；弾性部材）の両端が揺動体３０，３０の作動アーム３２，３２に係止され、各々の回動翼片３１，３１は、回動軸３３，３３周りで常時球通路２２に突出する方向にそれぞれ付勢されている（図５、図６（ｃ）（ｄ）、図７（ｃ））。また、各回動翼片３１，３１の先端部には、球通路２２に入口側２２Ｉから導入された遊技球に係合して受け止めることができるように、遊技球の外形に沿う球面状の球受凹部３１ａ，３１ａがそれぞれ形成されている（図２、図７（ａ））。図６に示すように、回転軸２５は、回転体２０と同期回転板２８（電動モータ２４）とを一体的に連結するとともに、台板１０に（スリーブ２６を介して）回転可能に支持されている。一方、回動軸３３は、揺動体３０の軸孔３０ａに挿通されて揺動体３０を回転可能に支持するとともに、両端部が回転体２０と裏蓋２３とに（固定状態で）支持されている。
【００２６】
さらに、揺動体３０，３０（回動翼片３１，３１）は、回転体２０の回転軸線Ｏ周りでの回転に応じて、以下に示す第一姿勢と第二姿勢とに変移可能とされている。
【００２７】
（１）第一姿勢（通過許容；図６）：球受凹部３１ａ，３１ａが揺動体３０，３０（回動翼片３１，３１）に対して球通路２２の出口側２２Ｅに位置している。このとき、揺動体３０，３０の回動翼片３１，３１を球通路２２内へ突出する方向に付勢するねじりコイルばね３４の付勢力よりも、遊技球との接触に基づいて回動翼片３１，３１を（ばね３４の付勢力に抗して）球通路２２から後退する方向に作用する押し戻し力（押し開き力）の方が大となる。したがって、球受凹部３１ａ，３１ａは、球通路２２に入口側２２Ｉから導入された遊技球と係合せず、揺動体３０，３０（回動翼片３１，３１）は、球通路２２の入口側２２Ｉから出口側２２Ｅへの遊技球の通り抜けを許容する。
【００２８】
（２）第二姿勢（通過阻止；図７）：球受凹部３１ａ，３１ａが揺動体３０，３０（回動翼片３１，３１）に対して球通路２２の入口側２２Ｉに位置している。このとき、ねじりコイルばね３４の付勢力が遊技球との接触に基づく回動翼片３１，３１の押し戻し力（押し開き力）を上回る。したがって、球受凹部３１ａ，３１ａは、球通路２２に入口側２２Ｉから導入された遊技球を球通路２２の出口側２２Ｅから受け止め、揺動体３０，３０（回動翼片３１，３１）は、球通路２２の入口側２２Ｉから出口側２２Ｅへの遊技球の通り抜けを阻止する。
【００２９】
このように、単一のねじりコイルばね３４で一対の揺動体３０，３０をそれぞれ付勢しているので、各揺動体３０，３０に均等な付勢力（弾発力；ばね力）を作用させることができる。つまり、第二姿勢において一対の揺動体３０，３０間に作動タイミングのずれ（回動翼片３１，３１のばたつき）を生じないから、ずれに起因する遊技球の過誤通過を阻止できる。
【００３０】
次に、以上で述べた通過装置１の作動について、図６〜図９を用いて説明する。
（１）回転体２０の回転により、揺動体３０，３０の回動翼片３１，３１が第一姿勢になったとき（図６）；
遊技球が入口側２２Ｉから球通路２２に入球すると、遊技球は揺動体３０，３０の回動翼片３１，３１に接触し、ねじりコイルばね３４のばね力に抗して回動翼片３１，３１を押し広げ（図６（ｃ）→（ｄ））、そのまま球通路２２を通り抜けて出口側２２Ｅから排出樋１１ａへ放出される。したがって、遊技球は球通路２２内で停止することなく比較的スピーディに通過する。
【００３１】
（２−１）回転体２０の回転により、揺動体３０，３０の回動翼片３１，３１が第二姿勢になったとき（図７）；
遊技球が入口側２２Ｉから球通路２２に入球すると、遊技球は回動翼片３１，３１の球受凹部３１ａ，３１ａで受け止められ、ねじりコイルばね３４のばね力により出口側２２Ｅへの通り抜けを阻止される（図７（ｃ））。
（２−２）回転体２０がさらに１８０°未満の角度範囲で回転したとき（図８）；
球通路２２内の遊技球は、球受凹部３１ａ，３１ａで受け止められ、出口側２２Ｅへの通り抜けを阻止された状態で回転体２０とともに下部枠１１内を移動する。
（２−３）回転体２０が約１８０°回転したとき（図９）；
球受凹部３１ａ，３１ａで受け止められていた遊技球は、球通路２２内を逆流して入口側２２Ｉから排出樋１１ａへ放出される（実際には自重で落下する）。このように、遊技球は球通路２２内で一旦停止して比較的ゆっくりと通過する。
【００３２】
以上のように、回転体２０に球通路２２が貫通形成され、その球通路２２に揺動体３０，３０（回動翼片３１，３１）が配置されるので、上記（１）の場合と（２−１）〜（２−３）の場合とでは遊技球の通過速度（通過時間）に緩急の差が生じる。
【００３３】
（変形例）
図１０に揺動体の回動翼片の変形例を図７（ａ）と対比して示す。図１０（ａ）に示す揺動体１３０（通路切替部材）は、球通路２２の中途部において回動翼片１３１が球通路２２内に突出するように、回動軸１３３に設けるねじりコイルばね１３４で常時付勢されるとともに、回転体２０に一体的に取り付けられている。また、回動翼片１３１の先端部には、球通路２２に入口側２２Ｉから導入された遊技球に係合して受け止めることができるように、遊技球の外形に沿う球面状の球受凹部１３１ａが形成されている。
【００３４】
一方、図１０（ｂ）に示す揺動体２３０（通路切替部材）は、球通路２２の中途部において棒状の回動翼片２３１が球通路２２を横断するように、回動軸２３３に設けるねじりコイルばね２３４で常時付勢されるとともに、回転体２０に一体的に取り付けられている。これらの変形例のように、揺動体１３０，２３０（回動翼片１３１，２３１）を１個で構成してもよい。なお、図１０において図７（ａ）と共通する機能を有する部分には同一符号を付して説明を省略する。
【００３５】
（実施例２）
図１１は、本発明に係る遊技球誘導装置の他の例としての振分装置を実施例１（図８（ａ））と対比して示す正面図である。図１１に示す振分装置２の下部枠１１には、第一の排出樋１１ａ（例えば外れ球排出樋）と隔壁１１ｃを挟んで第二の排出樋１１ｂ（例えば当たり球排出樋）が形成されている。そこで、揺動体３０，３０（回動翼片３１，３１）が第一姿勢であるときには、遊技球は実施例１の場合と同様に、第一の排出樋１１ａに放出される（図６参照）。一方、揺動体３０，３０（回動翼片３１，３１）が第二姿勢から所定角度（１８０°未満の角度範囲）回転したときに、遊技球は第一の排出樋１１ａの手前の第二の排出樋１１ｂに放出される（図１１参照）。
【００３６】
すなわち、図１１の振分装置２では、揺動体３０，３０（回動翼片３１，３１）が第一姿勢のときに球通路２２に入球した遊技球は第一の排出樋１１ａから外れ球として、第二姿勢のときに球通路２２に入球した遊技球は第二の排出樋１１ｂから当たり球として、それぞれ振分け排出される。なお、図１１において図８（ａ）と共通する機能を有する部分には同一符号を付して説明を省略する。また、振分装置２では、第一及び第二の排出樋１１ａ，１１ｂ以外に排出樋を設けたり、回転体２０を双方向に回転したりしてもよい。
【００３７】
以上の説明では、回転体２０は電動モータ２４により正面視時計方向に回転するものとしたが、一方向回転と双方向回転・一定速回転と可変速回転・連続回転と間欠回転等の回転条件は制御対象等に応じて決定される。あるいは、回転体２０をその自重で回転（自転）させてもよい。したがって、ノッチセンサ２９によるノッチ２８ａの検出データは、電動モータ２４が正常回転しているか否かは勿論、回転方向や回転速度を切り換えたり電動モータ２４の停止位置を定めたりするための基準としても利用できる。
【００３８】
また、回転体２０の回転軸線Ｏは前後方向以外に上下方向等に配置でき、斜め方向であってもよい。したがって、回転軸線Ｏは、遊技盤の盤面に沿う方向（平行な方向）にも交差（例えば直交）する方向にも設定できる。
【図面の簡単な説明】
【００３９】
【図１】本発明に係る遊技球誘導装置の一例としての通過装置を示す全体組立斜視図。
【図２】図１の正面図。
【図３】図２のＡ−Ａ断面図。
【図４】図１とは異なる方向から見た通過装置の要部組立斜視図。
【図５】図４の分解斜視図。
【図６】揺動体の回動翼片が第一姿勢であるときの通過装置の作動を説明する正面図、斜視図及び背面図。
【図７】揺動体の回動翼片が第二姿勢であるときの通過装置の作動を説明する正面図、斜視図及び背面図。
【図８】図７に続く作動を説明する正面図及び斜視図。
【図９】図８に続く作動を説明する正面図及び斜視図。
【図１０】揺動体の回動翼片の変形例を図７（ａ）と対比して示す正面図。
【図１１】本発明に係る遊技球誘導装置の他の例としての振分装置を図８（ａ）と対比して示す正面図。
【符号の説明】
【００４０】
１          通過装置（遊技球誘導装置）
２          振分装置（遊技球誘導装置）
２０        回転体
２２        球通路
２２ａ      底壁
２２ｂ      側壁
３０        揺動体（通路切替部材）
３１ａ      球受凹部（球受部）
３４        ねじりコイルばね（トーションスプリング；付勢手段；付勢部材；弾性部材）
【図１】
2005296539.tif 000003
【図２】
2005296539.tif 000004
【図３】
2005296539.tif 000005
【図４】
2005296539.tif 000006
【図５】
2005296539.tif 000007
【図６】
2005296539.tif 000008
【図７】
2005296539.tif 000009
【図８】
2005296539.tif 000010
【図９】
2005296539.tif 000011
【図１０】
2005296539.tif 000012
【図１１】
2005296539.tif 000013